(57)【要約】      （修正有）【課題】解除されることなく大きい応力に耐えることができるとともに、さらに操作しやすく、重量の軽いバックルを提供する。【解決手段】雌部分は、二つの側壁、開口した収容端部、およびこの収容端部の反対側に配置されて雌部分の側壁から形成された開口があるロック用端部のある中空体を有している。この開口は、その端部よりも中央区域において幅が広い。雄部分には、基部と、自由端部およびロック用タブのある少なくとも一つのロック用アームとが備わっている。雄部分を雌部分の中へ挿入すると、ロック用アームが圧迫されて、ロック用タブがロック用端部における開口を通って拡張する。雄部分を雌部分の中へ充分に挿入すると、タブがロック用端部における開口の狭い端部の一つに静止して、雄部分が雌部分にロックされる。雄部分を雌部分に対して引くと、タブは、開口の縁に対していっそうしっかりとロックされて、不注意による係合解除が防止される。【選択図】図１
2006204911.tif 000002
【特許請求の範囲】
【請求項１】
二つの側壁、開口した収容端部、およびこの収容端部の反対側に配置されたロック用端部を有している中空体と、
前記ロック用端部における開口であって、この開口が、前記二つの側壁によって形成されているとともに二つの端部を有し、かつ、これらの端部においてよりも中央区域において幅が広い開口と
を備えている雌部分と、
基部と、
この基部に連結された少なくとも一つのロック用アームであって、このロック用アームが、自由端部とこの自由端部に配置されたロック用タブとを有しているロック用アームと
を備えている雄部分と
を備えてなり、
雄部分を雌部分の中へ挿入すると、ロック用アームが内方へ圧迫されてロック用タブがロック用端部における開口を充分に通り抜け、かつ、ロック用タブがロック用端部における開口を通り抜けると、ロック用アームは、タブがロック用端部における開口端部の一つに静止する静止位置の中へ解除されて、雄部分を雌部分へロックするバックル。
【請求項２】
前記雌部分の前記側壁の少なくとも一つにおける少なくとも一つのロック用長穴と、
前記雄部分の前記ロック用アームの前記自由端部から離れて配置された肩部分とをさらに備え、
雄部分を雌部分の中へ挿入すると、肩が、ロック用長穴を通って拡張してロック用長穴の上方端部に当接し、雄部分を雌部分へさらにロックするとともに、
雄部分を雌部分から解除するために、肩部分を肩部分がロック用長穴を通過するまで、かつ、タブをロック用端部における開口の中央区域まで内方へ移動させるまで、肩部分を内方へ押圧することによって、雄部分が雌部分から解除される
請求項１に記載のバックル。
【請求項３】
二つのロック用長穴と二つのロック用アームとがある請求項２に記載のバックル。
【請求項４】
雄部分および雌部分の少なくとも一方に配置されたストラップ保持用バーをさらに備えている請求項１に記載のバックル。
【請求項５】
収容端部がＶ字状溝からなり、雄部分が前記基部に連結された対応Ｖ字状中央区分を有し、雄部分を雌部分の中へ挿入すると、中央区分が溝の中に静止して雄部分を雌部分に整合させる請求項１に記載のバックル。
【請求項６】
中央区分が、周囲区域の厚さよりも少ない厚さを有しているメッシュ部分を有し、このメッシュ部分がそれを貫通する複数の開口を有している請求項５に記載のバックル。
【請求項７】
雌部分のロック用端部が、中央区域において長手方向に拡張している請求項１に記載バックル。
【請求項８】
肩部分が、当接面を形成する上方隆起からなり、前記当接面は、ロック用長穴を通って拡張しているとともに、肩部分がロック用長穴を通って拡張すると、雌部分に当接する請求項２に記載のバックル。
【請求項９】
開口の端部がＶ字形状を有し、ロック用アームがＶ字状断面を有し、それによって、雄部分が雌部分の中へ充分に挿入されると、ロック用アームが開口の端部の一つに確実に嵌め込まれる請求項１に記載のバックル。
【発明の詳細な説明】
【技術分野】
【０００１】
本発明は、少ない重量および高さを維持しながらその強度を増大させるために二箇所において固定されるバックルに関するものである。特に本発明は、雄部分が雌部分の長さに沿った二箇所において雌部分の中へロックされる側方解除型バックルに関するものである。
【背景技術】
【０００２】
側方解除型バックルは、ストラップを互いに取り付けるために広く使用されている。標準的な側方解除型バックルにおいて、雄部分には自由端部におけるロック用タブのある二つの突起部が備わっている。これらのロック用タブは、二つの部分を互いに固定するためにバックルの雌部分における長穴の中へ嵌め込まれる。
【発明の開示】
【発明が解決しようとする課題】
【０００３】
応力下で解除されない充分に強いバックルを作り出すために、従来のバックルは、雄部分の突起部をきわめて堅くかつ重く作らなければならなかった。これによって、そのバックルは、解除するのが難しくなり、また、扱いにくいものとなる。しかしながら、突起部があまりにも曲がりやすいときには、バックルは高い応力に耐えることができないであろう。
【０００４】
バックルが解除されることなく大きい応力に耐えることができるとともに、さらに操作しやすく、重量が軽く、しかも魅力的であるバックルを作ることが望ましい。
【課題を解決するための手段】
【０００５】
本発明は、雄部分と雌部分とを有しているバックルから成る。雌部分は、二つの側壁、開口した収容端部、およびこの収容端部の反対側に配置されたロック用端部がある中空体を有している。ロック用端部には、雌部分の側壁によって包囲された開口がある。これらの側壁は、それぞれの端部にＶ字状窓穴を形成するために接している。
【０００６】
雄部分は、基部と、この基部に連結された少なくとも一つの可撓性ロック用アームとを備えている。ロック用アームは、自由端部とこの自由端部に配置されたロック用タブとを有している。アームは、基部の近傍に配置された端部で可撓性のものである。雄部分を雌部分の中に挿入してロック用アームを内方へ圧縮させると、それは、ロック用タブがロック用端部における長穴の中へ拡張するまで雌部分の中へ摺動することができる。雄部分を雌部分にロックするために、雄部分を雌部分の中へ充分に挿入すると、ロック用アームは、ロック用端部における窓穴を通り抜けて、ロック用タブがロック用端部における窓穴の狭いＶ字状端部の一つに静止される静止用位置の中へ解除される。ロック用アームは、同じようにＶ字状の輪郭を有しており、ロック用タブが充分にＶ字状開口を通り抜けると、雌部分の側壁によって作り出されたその開口の中へ直接嵌まる。タブには肩部分があり、この肩部分は、開口の縁に当接して、肩部分が開口を通過するようなロック用アームの内方への第一押付作用によることなく、雄部分の解除を防止する。
【０００７】
雄部分と雌部分とが互いにロックされた後に雄部分を雌部分に対して引くと、タブは、雌部分の側壁に対していっそうしっかりとロックされて、雌部分からの雄部分の不注意による係合解除が防止されるが、その理由は、ロック用タブが開口のＶ字状端部よりも幅が広くて、ロック用タブが通過するのに充分に幅が広い開口の中央区域の中へまず移動しないと開口を通過できないからである。
【０００８】
一つの実施形態では、雌部分の側壁の少なくとも一つにおける少なくとも一つのロック用長穴があり、かつ、雄部分のロック用アームの自由端部から離れて配置された肩部分がある。肩部分はロック用アームから外方へ突出している。雄部分を雌部分の中へ挿入すると、肩部分は、ロック用長穴を通って拡張してロック用長穴の上方端部に当接するとともに、雄部分を雌部分にさらにロックする。雄部分を雌部分から解除するために、肩部分がロック用長穴を通過し、かつ、タブをロック用端部における開口の中央区域まで内方へ移動させるまで、肩部分を内方へ押圧することによって、雄部分は雌部分から解除される。ロック用アームに対する内方への圧力によって、その可撓性ロック用アームの旋回運動のために長手方向の力ベクトルも作り出される。この長手方向の力ベクトルによって、雄部分は、ロック用アームが長穴および開口から解除された後に雌部分の外へ押しやられる。
【０００９】
好ましい実施形態では、二つのロック用長穴と二つのロック用アームとがある。雄部分および雌部分のそれぞれには、ストラップをこれらの部分のそれぞれに取り付けることのできるストラップ保持用バーがそれらの遠位端部に備わっている。このバックルは、リュックサック用ストラップ、ベルトのバックル、シートベルトのような相異なる多くの用途、あるいは、二つのストラップを互いに解除可能に連結するのが好ましい他の任意の用途のために有用である。
【００１０】
別の実施形態では、雌部分の収容端部はＶ字状溝からなっており、雄部分は、基部から拡張しているＶ字状中央区分を有している。雄部分を雌部分の中へ挿入すると、中央区分は溝の中に静止されて雄部分と雌部分とが整合し、それによって、雄部分と雌部分との互いの連結が、とりわけ微光状況下でいっそう容易になる。Ｖ字状部分によって、雄部分と雌部分とは、それらが初めは整合していないときでさえも、自動的に互いに整合する。
【００１１】
中央区分には、周囲区域の厚さよりも厚さが少ないメッシュ部分があってもよい。メッシュ部分には、それを貫通する複数の開口があり、それによって、バックルの重量とバックルを製造するのに必要とされるプラスチックの量とが減少する。メッシュ区域は見て美しいものでもある。
【００１２】
別の実施形態では、雌部分のロック用端部は、雄部分のタブが雌部分の長穴の中へロックされたときに雄部分のタブを越えて拡張するように、中央区域において長手方向に拡張している。この拡張区域によって、タブがロックされて、外部対象物がタブを内方へ押し付けるのを防止することで、雌部分からの雄部分の不注意による係合解除が防止されるとともに、タブが保護される。
【００１３】
本発明の他の目的および特徴構成は、添付図面とともに考慮された以下の詳細な説明から明らかになる。しかしながら、これらの図面は、例示を目的としており、本発明の限界の規定を目的としないことを理解すべきである。
【００１４】
これらの図面において、類似した参照符号は、いくつかの図を通して、類似した要素を表わしている。
【発明を実施するための最良の形態】
【００１５】
図面を詳細に参照すると、図１には、雄部分２０と雌部分３０とを有しているバックル１０が示されている。雄部分２０は、基部２１と、二つのロック用アーム２２，２３と、ストラップ保持用バー２４とを有している。ロック用脚部２２，２３のそれぞれは、可撓性上方区分２５と、肩部分２６と、それらの自由端部に配置されたロック用タブ２７とを有している。肩部分２６は、当接面を形成するためにアーム２２，２３から外方へ拡張する上方隆起２８を有している。また、基部２１からは中央部分２９が拡張しており、これは、Ｖ字状輪郭と内側のメッシュ区分４０とを有している。メッシュ区分４０は、中央部分２９の周囲区分の厚さよりもきわめて少ない厚さを有している。メッシュ区分４０は、それを貫通する複数の穴を有している。メッシュ区分４０は、バックル１０の重量を減少させるとともにそれをいっそう魅力的なものにするために役立つ。
【００１６】
雌部分３０は、空洞によって隔てられた上方側壁および下方側壁の形成された中空状本体３１と、二つのロック用長穴３２，３３と、Ｖ字状長穴３５を有している上方収容端部３４と、開口３７を有しているロック用端部３６とを有している。開口３７は、その中央区域において幅がより広く、その端部３９へ向かって幅が狭くなっている。ストラップ保持用バー３８もある。
【００１７】
図２は、雌部分３０の中へ充分に挿入された雄部分２０を示している。挿入の間に、雌部分３０の側壁は、ロック用アーム２２，２３が内方へ押し付けられて、肩部分２６が雌部分３０の中へ摺動するようにさせる。肩部分２６の傾斜状輪郭はこの動きを支援する。雌部分３０の中への雄部分２０の挿入が充分行われると、肩部分２６がロック用長穴３２の中へ嵌め込まれる。同時に、長穴３７の幅広の中央区域において配置されて押し付けられた位置にあるタブ２７が、開口３７を充分に拡張して、開口３７の狭い端部３９の中へ嵌め込まれるために飛び出てくる（図４も参照のこと）。肩部分２６の上方隆起２８は、ロック用長穴３２を越えて拡張し、雄部分２０を雌部分３０の中へロックする。同時に、タブ２７は、図３および図４に見ることができるように、開口３７の端部部分３９の縁４９に当接する肩部分４８によって開口３７の中へロックされるとともに、雄部分２０のどのような解除もまた防止する。実際に、雌部分３０から離れた雄部分２０の横方向圧力によって、タブ２７の肩３９が開口３７の縁４９の中へいっそうしっかりとロックされる。
【００１８】
雌部分３０の中への雄部分２０の挿入の間に、雄部分２０と雌部分３０との整合を促すために、Ｖ字状中央部分２９は雌部分３０のＶ字状溝３５の中へ摺動する。雄部分２０は、初めは中心がずれて雌部分３０の中へ配置されてもよいが、Ｖ字状協働面によって、二つのバックル部品が確実なロックのために正確に整合される。このことは、微光状況下において、あるいは、使用者が動いていて、二つのバックル部品をそれらの連結前に正確に整合することができないときに、特に有用である。
【００１９】
図４は、バックル１０の端面図を示しており、初めに挿入されてロック位置にあるタブ２７を示している。初めに挿入されると、雌部分３０の側壁３１は、雄部分２０のロック用アーム２２，２３を圧縮させて、タブ２７が通り抜けることができるように充分に幅が広い中央区域における開口３７にタブ２７が充分に挿入されるようにする。タブ２７が開口３７を通り、雄部分が雌部分３０の中へ充分に挿入された後に、ロック用アーム２２，２３が静止部分の中へ嵌め込まれるとともに、タブ２７が開口３７の端部３９の中へ嵌め込まれる。図１に示された端部３９は、タブ２７よりも幅が狭くて、タブ２７における肩４８の幅のためにタブ２７が雌部分３０の本体の中へ後方に通ることができず、それによって、雄部分２０を雌部分３０の中へロックする。端部３９は好ましくは、Ｖ字状輪郭を有しているとともに、タブ２７の肩４８に当接する縁４９によって包囲されている。アーム２２，２３は好ましくは、タブ２７の近傍におけるそれらの端部でＶ字状断面を有しており、その結果、アーム２２，２３は、端部３９の中へ直接嵌まり込み、タブ２７が開口３７から不注意によって解除されるのを防止する。
【００２０】
雄部分２０を解除するためには、使用者は、肩部分２６をそれらがロック用長穴３２を通過するまで内方へ圧迫する。これによって、タブ２７も開口３７の中央区域の中へ移動して、タブ２７の肩４８が縁４９を通過して、雄部分２０が雌部分３０の外へ滑り外れるように開口３７を通って後方へ通ることができる。肩部分２６に対するこの圧迫運動によって、ロック用アーム２２，２３が内方へ旋回することができ、また、肩部分２６とロック用タブ７とが解除されると、雌部分３０から雄部分２０を外す長手方向の力ベクトルも作り出される。
【００２１】
長穴３７の中央区域におけるそれぞれの側部において、雌部分３０の本体はタブ４２の中で外方へ拡張する。タブ４２は、タブ２７が使用の間における外側の力によって内方へ不注意に圧迫されるのを、外側からタブ２７へのどのようなアクセスも阻止することで防止する。
【００２２】
本発明によるバックルによれば、バックルが二箇所においてロックされ、かつ、バックルにおける長手方向の力だけがバックルをいっそう確実にロックすることができるので、確実なロック作用がもたらされる。本発明によるバックルによれば、きわめて確実なロックがもたらされるとともに、さらに軽くて可撓性があり、それによって、使用しやすくなる。
【００２３】
従って、本発明の実施形態の少数だけが示されて説明されてきたが、多くの変更および修正を本発明の精神および範囲から逸脱することなくそこへ施すことができる、ということは明らかである。
【図面の簡単な説明】
【００２４】
【図１】図１は、非ロック位置におけるバックルの一つの実施形態の斜視図を示している。
【図２】図２は、ロック位置における図１のバックルの斜視図を示している。
【図３】図３は、図２の区分ＩＩＩの拡大図を示している。
【図４】図４は、図１〜図３のバックルの端面図を示しており、圧迫されて静止された位置にある雄部分のタブを示している。
【図１】
2006204911.tif 000003
【図２】
2006204911.tif 000004
【図３】
2006204911.tif 000005
【図４】
2006204911.tif 000006